(57)【特許請求の範囲】
【請求項１】
平行に設けた二本のレールからなる走行レールと、
前記二本のレールに各々係合して、該レールに沿って移動する二組の走行ローラであって、前記レールの上面に当接する上部ローラと、下面に当接する下部ローラとを備えて構成される走行ローラと、
両端がそれぞれ前記各走行ローラの上部ローラ又は下部ローラに直接固設された支軸と、
前記支軸に所定間隔を隔てて並設された一組のアームと、
前記アームに回動自在に接続された座席とを備えてなることを特徴とする遊戯用乗物装置。
【請求項２】
平行に設けた二本のレールからなる走行レールと、
前記二本のレールに各々係合して、該レールに沿って移動する二組の走行ローラと、
両端がそれぞれ前記各走行ローラに接続された支軸と、
前記支軸に所定間隔を隔てて並設された一組のアームと、
前記アームに回動自在に接続された座席と、
前記支軸をその軸中心に回転させる駆動手段とを備えてなることを特徴とする遊戯用乗物装置。
【請求項３】
前記駆動手段は、前記走行ローラの回転力を前記支軸に伝達して、該支軸をその軸中心に回転させるように構成されてなることを特徴とする請求項２記載の遊戯用乗物装置。
【請求項４】
前記座席が前記アームに固着されてなる請求項１，２又３は記載の遊戯用乗物装置。
【請求項５】
前記アームを、支軸を中心に対称形に複数組設け且つ、該各組のアームにそれぞれ座席を設けた請求項１，２，３又は４記載の遊戯用乗物装置。
【発明の詳細な説明】
【０００１】
【産業上の利用分野】
本発明は遊園地や公園等の行楽，歓楽地に設置して好適な戯用乗物装置に関する。
【０００２】
【従来の技術】
遊園地等に娯楽を目的とした各種遊戯施設が設置されているのは周知の通りであり、従来より、水平に設けた回転支軸にアームを設け、当該アームに座席を取り付けて構成したトップスピン，トマホークと呼ばれる遊戯装置が知られている。これらの装置によれば、前記回転支軸を中心に前記座席が垂直面内で回転、即ち円運動する。而して、座席に搭乗した遊戯者は、上昇時に重力（Ｇ）を体感し、降下時に無重力感を体感し、日常生活では到底味わうことのできない特異な感覚を手軽に体感できることから、当該装置は若年層をはじめとして多くの人の人気を集めている。
【０００３】
【発明が解決しようとする課題】
しかしながら、近年、若者の間では趣味感や価値観が多様化し、従来にない感覚を体感できる遊戯装置が求められている。
本発明はかかる実情の下なされたものであり、従来の遊戯用乗物装置においては到底味わうことのできない感覚を体感することのできる遊戯用乗物装置の提供を目的とする。
【０００４】
【課題を解決するための手段】
上記目的を達成するための、本発明の請求項１に係る発明は、平行に設けた二本のレールからなる走行レールと、前記二本のレールに各々係合して、該レールに沿って移動する二組の走行ローラであって、前記レールの上面に当接する上部ローラと、下面に当接する下部ローラとを備えて構成される走行ローラと、両端がそれぞれ前記各走行ローラの上部ローラ又は下部ローラに直接固設された支軸と、前記支軸に所定間隔を隔てて並設された一組のアームと、前記アームに回動自在に接続された座席とを備えたことを要旨とする。
【０００５】
また、請求項２に係る発明は、平行に設けた二本のレールからなる走行レールと、前記二本のレールに各々係合して、該レールに沿って移動する二組の走行ローラと、両端がそれぞれ前記各走行ローラに接続された支軸と、前記支軸に所定間隔を隔てて並設された一組のアームと、前記アームに回動自在に接続された座席と、前記支軸をその軸中心に回転させる駆動手段とを備えたことを要旨とする。
【０００６】
請求項３に係る発明は、前記駆動手段が前記走行ローラの回転力を前記支軸に伝達して、該支軸をその軸中心に回転させるように構成されることを要旨し、請求項４に係る発明は前記座席が前記アームに固着されていることを要旨とし、請求項５に係る発明は前記アームを、支軸を中心に対称形に複数組設け且つ、該各組のアームにそれぞれ座席を設けたことを要旨する。
【０００７】
【作用及び効果】
本発明の請求項１の発明によれば、まず、遊戯者を座席に着座せしめた後、当該装置を駆動する。走行ローラを積極的に駆動することにより若しくは、走行ローラ，支軸，アーム及び座席の自重により当該走行ローラ，支軸，アーム及び座席は走行レールに沿って移動する。その際、支軸を走行ローラの上部ローラ又は下部ローラに直接固設しているので、当該支軸は上部ローラ又は下部ローラの回転力によってその軸中心に回転する。そして、これに伴って座席も回転する。而して、遊戯者は前方に進みながら回転するという従来に無いスリリングな感覚を体感することができる。特に遊戯者は上昇時に重力を体感し、降下時に無重力状態に近い感覚を体感する。
【０００８】
また、請求項２の発明によっても、駆動手段により支軸がその軸中心に回転されるので、上記と同様の作用，効果を奏する。また、請求項３の発明によれば、駆動手段によって走行ローラの回転力が支軸に伝達されるので、走行ローラの回転力を減速的に支軸に伝達することができ、座席等の走行ローラに沿った移動速度を速くすることができる。これにより、遊戯者は更に増したスリル感を体感することができる。
【０００９】
また、請求項４の発明によれば、遊戯者は回転の際の所定位置で逆さまの姿勢となり、更にスリリングな感覚を体感することができる。また、請求項５の発明によれば、座席を支軸を中心として対称位置に設けているので、座席が回転する際のバランスが良い。
【００１０】
【実施例】
以下、本発明の実施例について添付図面に基づき説明する。
【００１１】
（実施例１）
図１は本発明の一実施例に係る遊戯用の乗物装置を示す斜視図であるが、同図に示すように、この乗物装置は、走行レール（１）と、走行ローラ（２）と、支軸（３）と、支持アーム（４）と、連結軸（５）と、座席（６）とを備えてなるものである。以下、各部の詳細について説明する。
【００１２】
前記走行レール（１）は、中空の円筒状又は中実の円柱状の鋼材２本を平行に設けて構成したものであり、この鋼材２本を図示しない支持構造体により支持している。そして、この走行レール（１）は矢示Ａ方向に所定の角度で下り勾配に傾斜している。
【００１３】
前記走行ローラ（２）は上部ローラ（２ａ）と、側部ローラ（２ｂ）と、下部ローラ（２ｃ）とを二組備えてなり、各組の上部ローラ（２ａ），側部ローラ（２ｂ），下部ローラ（２ｃ）は接続部材（２ｄ）により相互に連結され、それぞれ前記走行レール（１）に係合している。即ち、上部ローラ（２ａ）は走行レール（１）の上面に当接し、側部ローラ（２ｂ）は同外側の側面に当接し、下部ローラ（２ｃ）は同下面に当接している。尚、側部ローラ（２ｂ）は走行レール（１）の内側の側面に当接するように構成しても良い。
【００１４】
前記支軸（３）は中空の円筒状又は中実の円柱状の鋼材よりなり、その両端をそれぞれ前記上部ローラ（２ａ）に直接固設している。尚、本例では支軸（３）を上部ローラ（２ａ）に固設したが、下部ローラ（２ｃ）に固設した構成としても良い。
【００１５】
前記支持アーム（４）は、図１に示すように所定の間隔を隔てて平行に前記支軸（３）に設けたものである。また、前記連結軸（５）は中空の円筒状又は中実の円柱状の鋼材よりなり、当該連結軸（５）を前記支持アーム（４），（４）間の両端部に回動自在に設けている。
【００１６】
また、前記座席（６）はベンチ状に構成したもので、第１の保持アーム（７）及び第２の保持アーム（８）を備えている。そして、この座席（６）を前記連結軸（５）に固設している。
【００１７】
以上の構成を備える実施例装置によれば、まず、適宜場所において遊戯者（Ｙ）を座席（６）に着座せしめ、第１の保持アーム（７）及び第２の保持アーム（８）を装着せしめる。ついで、装置の制動を解除すると走行ローラ（２）を矢示Ａ方向に下り勾配に設けているので走行ローラ（２），支軸（３），支持アーム（４），連結軸（５），座席（６）は自重により走行レール（１）に沿って矢示Ａ方向に移動する。
【００１８】
その際、支軸（３）が上部ローラ（２ａ）に直結されているので、上部ローラ（２ａ）の矢示Ｂ方向の回転力が支軸（３）に伝達され、当該支軸（３）が矢示Ｂ方向に回転する結果、座席（６）は当該支軸（３）を中心として矢示Ｂ方向に回転する。そして、前述のように連結軸（５）を回動自在に設けているので、遠心力と重力の釣り合った姿勢となる。以上のように当該装置は矢示Ａ方向に移動しつつ座席（６）は矢示Ｂ方向に回転する。
【００１９】
而して、遊戯者（Ｙ）は前方に進みながら回転するという従来に無いスリリングな感覚を体感することができる。特に遊戯者（Ｙ）は上昇時に重力を体感し、降下時に無重力状態に近い感覚を体感する。尚、遊戯者（Ｙ）は第１の保持アーム（７）及び第２の保持アーム（８）を装着しているので、回転に際して安全である。
【００２０】
また、この装置では座席（６）を支軸（３）を中心として対称位置に２組設けており、回転の際のバランスが良い。但し、この構成に限るものではなく、図２に示すような４組或いはそれ以上の組数設けても良く、更には等間隔に３組, ５組以上設けても良い。逆に１組等アンバランスに設けると、装置が脈動的に作動し、更に変化に富んだものとなる。
【００２１】
また、前記連結軸（５）を支持アーム（４）に固着した構成としても良い。このように構成すれば遊戯者（Ｙ）は回転の際の所定位置で逆さまの姿勢となり、更にスリリングな感覚を体感することができる。
【００２２】
（実施例２）
次に、図３及び４に基づいて実施例２の装置について説明する。図３に示すように、この装置は前述の実施例１の装置の一方側の上部ローラ（２ａ），側部ローラ（２ｂ），下部ローラ（２ｃ）を２組設けるとともにその中間に駆動手段（１０）を設けたものであり、他の構成は実施例１の装置と同じであるので当該他の構成の詳しい説明は省略する。尚、他方側の上部ローラ（２ａ）は回動自在となっている。
【００２３】
前記駆動手段（１０）は図４に示すように、一方の上部ローラ（２ａ）に設けた伝動ギア（１１）と、中間ギア（１２）及び（１３）と、支軸（３）の端部に設けた駆動ギア（１４）とを備えてなる。そして、中間ギア（１２）と中間ギア（１３）とを軸（１５）により連結し、当該中間ギア（１２）と伝動ギア（１１）とを噛合せしめ、中間ギア（１３）と駆動ギア（１４）とを噛合せしめている。尚、伝動ギア（１１），中間ギア（１２），中間ギア（１３），駆動ギア（１４）の歯数は支軸（３）に減速的に上部ローラ（２ａ）の回転力が伝達されるように適宜設定している。また、特に図示しないが、支軸（３）及び軸（１５）は適宜手段により回動自在に支持されている。
【００２４】
而して、上部ローラ（２ａ）の回転力が、伝動ギア（１１），中間ギア（１２），中間ギア（１３），駆動ギア（１４）を介して減速して支軸（３）に伝達される。従って、座席（６）の回転速度は前記走行ローラ（２），支軸（３），支持アーム（４），連結軸（５），座席（６）の矢示Ａ方向の移動速度に比較してかなりゆったりとしたものに設定することができる。換言すれば、矢示Ａ方向の移動速度を実施例１の装置の場合に比べて上げることができるので、遊戯者（Ｙ）は更に増したスリル感を味わうことができる。
【００２５】
尚、本例においては、駆動手段（１０）を、上部ローラ（２ａ）の回転力を支軸（３）に伝達するように構成したが、これに限るものではなく、上部ローラ（２ａ）とは切り離し、電動モータ等により直接支軸（３）を駆動するように構成しても良い。
【００２６】
以上、本発明の具体的実施例について説明したが、これはあくまでも一例として例示したものであって、本発明の具体的態様がこれに限られるものではないことは言うまでもない。特に付言するならば、実施例１及び２における走行ローラ（２）を電動モータ等により駆動するように構成しても良い。
【図面の簡単な説明】
【図１】            本発明の一実施例たる実施例１の装置を示す斜視図である。
【図２】            実施例１の変形例を示す斜視図である。
【図３】            実施例２の装置を示す斜視図である。
【図４】            実施例２の装置の駆動手段の概略を示す説明図である。
【符号の説明】
１    走行レール
２    走行ローラ
２ａ  上部ローラ
２ｂ  側部ローラ
２ｃ  下部ローラ
２ｄ  接続部材
３    支軸
４    支持アーム
５    連結軸
６    座席
７    第１の保持アーム
８    第２の保持アーム
１０  駆動手段
１１  伝動ギア
１２  中間ギア
１３  中間ギア
１４  駆動ギア
１５  軸
【図１】
0003668267.tif 000002
【図２】
0003668267.tif 000003
【図３】
0003668267.tif 000004
【図４】
0003668267.tif 000005